(57)【要約】【課題】水仕事あるいは手洗いをする場合に、手先側の水が腕側に流れ込むことを防止でき、長袖を着ていても装着が容易になり、腕側へ撥ねる水の付着を防止でき、かつ腕の太さに係らず、大人から子供まで一定の付着力で前腕側に装着できる防水用腕バンドを提供する。【解決手段】手先に近い腕部分に挿入され、腕部分の太さに合わせて密着させて装着可能な腕取付け帯１１と、この腕取付け帯１１の手先側に取付けられ、腕取付け帯１１を密着させて装着させたときに、手先側を覆う形状となる表面が水を弾く材料から形成された手先側カバー部１６と、腕取付け帯１１の腕側に取付けられ、腕取付け帯１１を密着させて装着させたときに、腕側を覆う形状となる表面が水を弾く材料から形成された腕側カバー部１７とを有する。【選択図】    図１
0003149695.tif 000002
【実用新案登録請求の範囲】
【請求項１】
手先に近い腕部分に挿入され、該腕部分の太さに合わせて密着させて装着可能な腕取付け帯と、この腕取付け帯の手先側に取付けられ、該腕取付け帯を密着させて装着させたときに、前記手先側を覆う形状となる表面が水を弾く材料から形成された手先側カバー部と、前記腕取付け帯の腕側に取付けられ、該腕取付け帯を密着させて装着させたときに、前記腕側を覆う形状となる表面が水を弾く材料から形成された腕側カバー部とを有することを特徴とする防水用腕バンド。
【請求項２】
前記腕取付け帯は、手先側から挿入できる大きさのリング状の布材で形成されていることを特徴とする請求項１記載の防水用腕バンド。
【請求項３】
前記手先側カバー部及び腕側カバー部は、水を弾くプラスチック材料または水を弾く表面処理を施した材料であることを特徴とする請求項１記載の防水用腕バンド。
【請求項４】
前記腕側カバー部は、前記手先側カバー部と同じ形状に形成されていることを特徴とする請求項１記載の防水用腕バンド。
【請求項５】
前記前記腕側カバー部は、前記腕側の肘側まで覆う形状に形成されていることを特徴とする請求項１記載の防水用腕バンド。
【考案の詳細な説明】
【技術分野】
【０００１】
本考案は、人が手で水仕事あるいは手洗いをするときに、水が手先側から腕側に伝わって流れ入ることが防止でき、また手先側から跳ねた水が腕側の袖口を濡らすことを防止できる前腕側に装着する防水用腕バンドに関するものである。
【背景技術】
【０００２】
従来、服を着たままで洗い物等の水仕事をする場合に、水が手先から腕を伝わって流れて服が濡れるのを防止するための止水用腕輪が知られている（例えば、特許文献１参照）。この止水用腕輪は、腕が挿着される内環部と、この内環部から外周方向に延設された外環部と、から構成され、腕を伝わって流れる水を内環部と外環部との間に形成された水溜部で堰き止めるように構成したものである。この止水用腕輪では、ゴム或いは軟質合成樹脂で一体に形成されたものであり、一定の大きさに形成された内環部を腕に挿入することで装着するため、腕の太さにより密着度が異なり、例えば、腕が太い人が使用する場合には、密着度が大きくなり、装着される位置も制限を受けることがあった。また、このような止水用腕輪を腕の細い子供等が手洗い等のために使用することは、困難であった。
【０００３】
また、人が手で水使いをするときに、衣服の袖口をぬらすことがないように、袖口水ぬれ防止リストバンドが知られている（特許文献２参照）。この袖口水ぬれ防止リストバンドは、腕に装着するリストバンドに於いて、腕固定部の円形に接続してつば部が、ゴム素材で一体で形成され、その一片に開口部の開閉機構を備えて、異なる太さの腕に装着可能とするため調整可能となっているものである。この袖口水ぬれ防止リストバンドでは、つば部が手先側を覆う形状に形成されていることで、手の甲より伝わってくる水をつば部で受け止めて袖口を濡らさないようにできるが、つば部を越えて波ね飛んだ水が腕を濡らしたり、あるいは長袖を着用して水仕事をした場合には、袖口に水が付着するおそれがあった。
【０００４】
【特許文献１】実開平５−１８４０２号公報
【特許文献２】特開２０００―３１４０１９号公報
【考案の開示】
【考案が解決しようとする課題】
【０００５】
本考案は上記事情に鑑みなされたもので、手先による水仕事あるいは手洗いをする場合に、手先側の水が腕側に流れ込むことを防止できるとともに、長袖を着ていても装着が容易になり、腕側へ撥ねる水の付着を防止でき、かつ腕の太さに係らず、大人から子供まで一定の付着力で前腕側に装着することが容易な防水用腕バンドを提供することを目的とする。
【課題を解決するための手段】
【０００６】
上記目的を達成するために請求項１に記載の考案にあっては、手先に近い腕部分に挿入され、該腕部分の太さに合わせて密着させて装着可能な腕取付け帯と、この腕取付け帯の手先側に取付けられ、該腕取付け帯を密着させて装着させたときに、前記手先側を覆う形状となる表面が水を弾く材料から形成された手先側カバー部と、前記腕取付け帯の腕側に取付けられ、該腕取付け帯を密着させて装着させたときに、前記腕側を覆う形状となる表面が水を弾く材料から形成された腕側カバー部とを有することを特徴とするものである。
【０００７】
請求項２に記載の考案にあっては、前記腕取付け帯は、手先側から挿入できる大きさのリング状の布材で形成されていることを特徴とするものである。
【０００８】
請求項３に記載の考案にあっては、前記手先側カバー部及び腕側カバー部は、水を弾くプラスチック材料または水を弾く表面処理を施した材料であることを特徴とするものである。
【０００９】
請求項４に記載の考案にあっては、前記腕側カバー部は、前記手先側カバー部と同じ形状に形成されていることを特徴とするものである。
【００１０】
請求項５に記載の考案にあっては、前記前記腕側カバー部は、前記腕側の肘側まで覆う形状に形成されていることを特徴とするものである。
【考案の効果】
【００１１】
本考案の防水用腕バンドは、手先に近い腕部分に挿入され、この腕部分の太さに合わせて密着させて装着可能な腕取付け帯と、この腕取付け帯の手先側に取付けられ、該腕取付け帯を密着させて装着させたときに、前記手先側を覆う形状となる表面が水を弾く材料から形成された手先側カバー部と、前記腕取付け帯の腕側に取付けられ、該腕取付け帯を密着させて装着させたときに、前記腕側を覆う形状となる表面が水を弾く材料から形成された腕側カバー部とを有することで、手先による水仕事あるいは手洗いをする場合に、手先側の水が腕側に流れ込むことを防止できるとともに、長袖を着ていても装着が容易になり、腕側へ撥ねる水の付着を防止でき、かつ腕の太さに係らず、大人から子供まで一定の付着力で前腕側に装着することが容易になる。
【考案を実施するための最良の形態】
【００１２】
以下、本考案を実施例により具体的に説明する。図１〜図６は本考案第１実施形態の防水用腕バンドを説明する図であり、図１は腕に挿入して装着前の状態の防水用腕バンドを説明する斜視図、図２は腕に装着した状態の防水用腕バンドの斜視図、図３は腕に装着した状態の防水用腕バンドの断面図、図４は手先側カバー部の装着前の状態を説明する平面図、図５は手先側カバー部の装着状態における側面図、図６は手先側カバー部の装着状態における斜視図である。
【００１３】
本考案の第１実施形態の防水用腕バンド１０は、水仕事あるいは手洗い等をする場合に、手先１側に近い腕２部分に装着して使用するものであり、腕取付け帯１１と、この腕取付け帯１１の手先１側に取付けられる手先側カバー部１６と、腕取付け帯１１の腕２側に取付けられる腕側カバー部１７とを備えたものである。
【００１４】
この腕取付け帯１１は、帯状の材料により手先１に近い腕２部分に挿入できる大きさのリング状に形成されたものを使用することができる。この腕取付け帯１１は、腕２に装着される腕取付バンド１２と、この腕取付バンド１２の外周側を覆うように取付けられるカバー部１３とを有すると共に、腕２に密着させた状態に装着するための接着部１４，１５をカバー部１３に設けたものである。このような腕取付け帯１１の材料としては、腕２部分に装着されたときに、腕表面に柔軟に密着させることができる帯状の布材等を使用することができる。このリング状の腕取付け帯１１の大きさは、例えば、幅が２〜３ｃｍ程度の帯状の布材等を手先１側から通すことができるリング状に形成されたものを使用することができる。この腕取付け帯１１は、手先１から腕２側に挿入した後に、装着する腕２部分の大きさに合わせて重ね合わせた状態で接着部１４，１５で接続させて装着するものである。
【００１５】
手先側カバー部１６は、腕取付け帯１１を腕２に挿入したとき、この腕取付け帯１１の手先１側に取付けられるものであり、腕取付け帯１１を腕２に密着して取り付けたときには、手先１側の周囲を覆う形状に装着されるものである。この手先側カバー部１６は、水を弾く帯状材料を使用することができる。この手先側カバー部１６としては、水の付着を防止できるプラスチック等の帯材、あるいは水の付着を防止できる表面処理を施した布材を使用することができる。このような手先側カバー部１６は、腕取付け帯１１に取付けられたときに、手先１側を覆う形状に取付けられているものである。この手先側カバー部１６としては、帯状材料を図４に示すように、一定の幅を有する円弧状の帯材で形成されたものを使用することができ、軽の大きい部分のカバー部１６ａと、軽の小さい部分に多数の取付け用の切れ込み１６ｂとを形成したものを使用することができる。この切れ込み１６ｂ部分を図５及び図６に示すように、腕取付け帯１１の表面に当接されるように曲折させて取付けることで、カバー部１６ａ側を手先１側に行く程に軽を大きくした傾斜状にすることができる。腕側カバー部１７は、手先側カバー部１６と同様の形状に形成されたものを使用することができ、腕２側を覆う形状に取付けられているものである。
【００１６】
上記構成の本考案第１実施形態の防水用腕バンド１０では、リング状に形成された腕取付け帯１１に手先１側から腕２に挿入し、腕取付バンド１２を腕２側に向けて重ね合わせた状態にして腕２の表面に密着させ、その密着させた状態でカバー部１３に設けられた接着部１４，１５を互いに接着させることで取付けることができる。この取付状態においては、図２に示すように、腕取付バンド１２は手先１に近い腕２表面に密着した状態で装着され、かつこの装着状態において手先側カバー部１６が手先１側に行く程に大きく覆う形状で装着される。また、同様に腕側カバー部１７は、図２に示すように、手先側カバー部１６と同様の形状で腕２側に行く程大きく覆う形状で装着される。このような防水用腕バンド１０では、水仕事あるいは手洗いをするときに、手先１側から腕２側に流れる水を腕取付け帯１１で止めることで、腕２側に流れ込むのを防止でき、また手先１側から跳ね飛んだ水を手先側カバー部１６で受け止めることができ、かつ手先１から跳ねた水を腕側カバー部１７で受け止めることで、長袖等を着た状態で水仕事をしても長袖側に飛ぶ水を受けて長袖の水濡れを防止することができる。また、腕取付バンド１２は、人の手先から挿入できる大きさのリング状に形成され、腕の太さに合わせて密着した状態で前腕側に装着できるため、腕の太さに係らず大人から子供まで使用することができる。
【００１７】
次に、本考案第２実施形態の防水用腕バンドを説明する。図７〜図９は本考案の第２実施形態の防水用腕バンドを説明する図であり、図７は腕に挿入して装着前の状態を説明する防水用腕バンドの斜視図、図７は腕に装着した状態の防水用腕バンドの斜視図、図８は腕に装着した状態の防水用腕バンドの断面図である。
【００１８】
本考案の第２実施形態の防水用腕バンド２０は、腕取付け帯１１と手先側カバー部１６とは第１実施形態と同様であるが、腕側カバー部１８は、腕２側を肘側の近くまで大きく覆うことができる形状に形成されているものである。すなわち、腕側カバー部１８は、手先側カバー部１６と同じ材料で形成することができ、腕２側を傾斜した状態で覆う形状に形成された第１の腕側カバー部１９と、この第１の腕側カバー部１９の端部に取付けられる腕２の周囲を肘近くまで大きく覆う第２の腕側カバー部２１とから構成されている。第２の腕側カバー部２１は、腕２に装着されたときに、腕２を大きく覆った状態で接続できるように、接着部２２，２３が取付けられている。すなわち、図８に示すように、防水用腕バンド２０を腕２に装着して、腕取付け帯１１を第１実施形態と同様に腕２に取付け、接着部１４，１５を互いに接着させることで取付け、かつ第２の腕側カバー部２１に設けられた接着部２２，２３を接続させて取付ける。このようの防水用腕バンド２０を腕２に取付けることで、手先１側を手先側カバー部１６で覆うとともに、腕２側が腕側カバー部１８の第１の腕側カバー部１９と第２の腕側カバー部２１とにより肘近くまで大きく覆うことで、手先１側から跳ね飛んでくる水を受け止め腕２を水で濡らしたり、袖口を跳ね飛んでくる水で濡らすことを防止することができる。
【００１９】
次に、本考案第３実施形態の防水用腕バンドを説明する。図１０は本考案の第３実施形態の防水用腕バンドを説明する図である。
【００２０】
本考案の第３実施形態の防水用腕バンド３０は、本考案第１実施形態の腕取付バンド１２がリング状に形成されているのに対し、腕取付け帯３１の腕取付バンド３２が同様の材料で２〜３ｃｍ程度の帯状の布材等でリング状に形成されてないものである。この腕取付バンド３２に第１実施形態と同様のカバー部１３が取付けられ、このカバー部１３に接着部１４，１５が取付けられたものである。手先側カバー部１６及び腕側カバー部１７は、第１実施形態と同様に形成されたものである。すなわち、第１実施形態とは、腕取付バンド３２がリング状に形成されてない点のみに違いがあるものである。
【００２１】
本考案第３実施形態の防水用腕バンド３０は、腕取付バンド３２の内面側を手先１側に近い腕２に密着して取り付けて使用することができるものである。装着された状態は、第１実施形態の図２と同様に装着することができ、同様に使用することができるものである。即ち、この防水用腕バンド３０は、長袖等を着た状態で水仕事をしても長袖側に飛ぶ水を受けて長袖の水濡れを防止することができ、また、腕取付バンド３２は、人の手先から挿入できる大きさのリング状に形成され、腕の太さに合わせて密着した状態で前腕側に装着できるため、腕の太さに係らず大人から子供まで使用することができる。
【００２２】
以上説明したように、本考案の防水用腕バンドは、手先に近い腕部分に挿入され、該腕部分の太さに合わせて密着させて装着可能な腕取付け帯と、この腕取付け帯の手先側に取付けられ、該腕取付け帯を密着させて装着させたときに、前記手先側を覆う形状となる表面が水を弾く材料から形成された手先側カバー部と、前記腕取付け帯の腕側に取付けられ、該腕取付け帯を密着させて装着させたときに、前記腕側を覆う形状となる表面が水を弾く材料から形成された腕側カバー部とを有することで、手先による水仕事あるいは手洗いをする場合に、手先側の水が腕側に流れ込むことを防止できるとともに、長袖を着ていても装着が容易になり、腕側へ撥ねる水の付着を防止でき、かつ腕の太さに係らず、大人から子供まで一定の付着力で前腕側に装着することが容易になる。手先側カバー部１６及び腕側カバー部１７，１８は、水を弾くプラスチック材料または水を弾く表面処理を施した任意の材料を使用することが可能である。
【産業上の利用可能性】
【００２３】
人が手で水仕事あるいは手洗いをするときに、水が手先側から腕側に伝わって流れ入ることが防止でき、また手先側から跳ねた水が腕側の袖口を濡らすことを防止できる防水用腕バンドを提供する。
【図面の簡単な説明】
【００２４】
【図１】本考案第１実施形態の腕に装着前の状態の防水用腕バンドの斜視図である。
【図２】本考案第１実施形態の腕に装着した状態の防水用腕バンドの斜視図である。
【図３】本考案第１実施形態の腕に装着した状態の防水用腕バンドの断面図である。
【図４】本考案第１実施形態の手先側カバー部の装着前の状態を説明する平面図である。
【図５】本考案第１実施形態の手先側カバー部の装着状態における側面図である。
【図６】本考案第１実施形態の手先側カバー部の装着状態における斜視図である。
【図７】本考案第２実施形態の腕に装着前の状態の防水用腕バンドの斜視図である。
【図８】本考案第２実施形態の腕に装着した状態の防水用腕バンドの斜視図である。
【図９】本考案第２実施形態の腕に装着した状態の防水用腕バンドの断面図である。
【図１０】本考案第３実施形態の腕に装着前の状態の防水用腕バンドの斜視図である。
【符号の説明】
【００２５】
１    手先
２    腕
１０    防水用腕バンド
１１    腕取付け帯
１２    腕取付バンド
１３    カバー部
１４，１５  接着部
１６    手先側カバー部
１７    腕側カバー部
１８    腕側カバー部
１９    第１の腕側カバー部
２０    防水用腕バンド
２１    第２の腕側カバー部
２２，２３    接着部
３０    防水用腕バンド
３１    腕取付け帯
３２    腕取付バンド
【図１】
0003149695.tif 000003
【図２】
0003149695.tif 000004
【図３】
0003149695.tif 000005
【図４】
0003149695.tif 000006
【図５】
0003149695.tif 000007
【図６】
0003149695.tif 000008
【図７】
0003149695.tif 000009
【図８】
0003149695.tif 000010
【図９】
0003149695.tif 000011
【図１０】
0003149695.tif 000012